(57)【要約】      （修正有）【課題】複数の資格カードの資格情報をまとめて記憶した１つの無線タグを簡単に作成し、ユーザの就労活動時における利便性を向上する。【解決手段】登録カード作成装置１００は、資格カード用アンテナ１０４Ｒと、スキャナ１０５と、登録カード用アンテナ１０４Ｗとを有し、資格カード用アンテナ１０４Ｒを用いて、無線タグ回路部Ｔｏ１より個人情報及び資格情報を取得し、スキャナ１０５が生成したイメージデータに含まれる文字を認識し、記載事項に含まれる、個人情報及び資格情報とを取得し、タグあり資格カードＬＣ１及びタグなし資格カードＬＣ２のいずれかを少なくとも含む複数の資格カードより取得した複数の資格情報を、登録カード用アンテナ１０４Ｗを用いて１つの無線タグ回路部Ｔｏ２に書き込む。【選択図】図３
2011060171.tif 000002
【特許請求の範囲】
【請求項１】
タグ媒体に無線タグ回路部を設けた無線タグを作成する無線タグ作成装置であって、
ユーザの第１資格カードに設けられるとともに、前記ユーザの第１個人情報と前記ユーザが取得した第１資格を表す第１資格情報とを記憶した、第１無線タグ回路部に対し、無線通信可能な第１アンテナ手段と、
前記第１アンテナ手段を用いて、前記第１無線タグ回路部より前記第１個人情報及び前記第１資格情報を取得する第１情報取得手段と、
前記ユーザの第２資格カードの記載事項を光学的に読み取り、対応するイメージデータを生成可能な光学読み取り手段と、
前記光学読み取り手段が生成した前記イメージデータに含まれる文字を認識し、前記記載事項に含まれる、前記ユーザの第２個人情報と前記ユーザが取得した第２資格を表す第２資格情報とを取得する第２情報取得手段と、
前記タグ媒体に設けられた第２無線タグ回路部に対し、無線通信を行う第２アンテナ手段と、
少なくとも１つの前記第１資格カードより前記第１情報取得手段を用いてそれぞれ取得された前記第１資格情報、及び、少なくとも１つの前記第２資格カードより前記第２情報取得手段を用いてそれぞれ取得された前記第２資格情報、のうち、少なくとも一方を含む複数の資格情報を、前記第２アンテナ手段を用いて１つの前記第２無線タグ回路部に書き込む情報記録手段と
を有することを特徴とする無線タグ作成装置。
【請求項２】
少なくとも１つの前記第１資格カードより前記第１情報取得手段を用いてそれぞれ取得された少なくとも１つの前記第１個人情報、及び、少なくとも１つの前記第２資格カードより前記第２情報取得手段を用いてそれぞれ取得された少なくとも１つの前記第２個人情報、のうち、少なくとも一方を含む、前記ユーザの複数の個人情報のそれぞれが、実質的に同一の情報であるかどうかを判定する個人情報判定手段を有し、
前記個人情報判定手段により前記ユーザの複数の個人情報のそれぞれが実質的に同一の情報であると判定された場合には、前記情報記録手段が、当該個人情報を前記第２アンテナ手段を用いて１つの前記第２無線タグ回路部に書き込み、前記無線タグの作成を実行する
ことを特徴とする請求項１記載の無線タグ作成装置。
【請求項３】
前記個人情報判定手段により前記ユーザの複数の個人情報のそれぞれが実質的に同一の情報ではないと判定された場合には、前記無線タグの作成を実行しない旨の報知を行う報知手段を
有することを特徴とする請求項２記載の無線タグ作成装置。
【請求項４】
前記第１資格カードの前記第１無線タグ回路部は、前記第１資格情報若しくは前記第２資格情報を管理する管理サーバの第１アドレス情報を記憶しており、
前記第１情報取得手段が前記第１資格カードより前記第１個人情報、前記第１資格情報、及び前記第１アドレス情報を取得した場合、若しくは、前記第２情報取得手段が前記第２資格カードより前記第２個人情報、前記第２資格情報、及び前記管理サーバの第２アドレス情報を取得した場合に、前記第１アドレス情報若しくは前記第２アドレス情報に基づき、前記管理サーバへアクセスし、前記ユーザが、前記第１資格若しくは前記第２資格の資格保持者であるかどうかを問い合わせる問い合わせ手段と、
前記問い合わせ手段による問い合わせ結果を、前記管理サーバより受信する受信手段と、
前記受信手段により受信した前記問い合わせ結果に基づき、前記ユーザが正当な資格保持者であるかどうかを判定するユーザ判定手段とを有し、
前記報知手段は、
前記ユーザ判定手段により前記ユーザが前記正当な資格保持者ではないと判定された場合には、前記無線タグの作成を実行しない旨の報知を行う
ことを特徴とする請求項３記載の無線タグ作成装置。
【請求項５】
前記第１情報取得手段は、
前記第１無線タグ回路部が前記第１資格の第１有効期限情報を記憶していた場合には、前記第１アンテナ手段を用いて前記第１無線タグ回路部より前記第１有効期限情報を取得し、
前記第２情報取得手段は、
前記記載事項に前記第２資格の第２有効期限情報が含まれていた場合には、当該第２有効期限情報を取得し、
かつ
前記第１有効期限情報又は前記第２有効期限情報と、前記第１情報取得手段又は前記第２情報取得手段による情報取得時に日時を計時可能な計時手段により計時された日時とを、比較することにより、前記第１資格又は前記第２資格の有効期限が徒過したかどうか、若しくは、前記第１資格又は前記第２資格の有効期限の残余期間が所定のしきい値以下となったかどうか、を判定する効力判定手段を設け、
前記報知手段は、
前記効力判定手段により、前記有効期限が徒過した、若しくは、前記有効期限の残余期間が所定のしきい値以下となった、と判定された場合には、前記無線タグの作成を実行しない旨の報知を行い、
前記情報記録手段は、
前記効力判定手段により、前記有効期限の残余期間が所定のしきい値より大きいと判定された場合に、前記第１有効期限情報及び前記第２有効期限情報の少なくとも一方を含む資格有効期限情報を、前記第２アンテナ手段を用いて前記１つの第２無線タグ回路部に書き込む
ことを特徴とする請求項３又は請求項４記載の無線タグ作成装置。
【請求項６】
過去において前記情報記録手段により前記第２無線タグ回路部に前記複数の資格情報と前記資格有効期限情報とが書き込まれて作成された前記無線タグと、前記第１資格情報及び前記第１有効期限情報を記憶した前記第１無線タグ回路部を備えた前記第１資格カードとが、前記第１アンテナ手段の通信範囲に存在した場合、前記第１情報取得手段は、前記第１アンテナ手段を用いて前記第２無線タグ回路部より前記複数の資格情報及び前記資格有効期限情報を取得するとともに、前記第１アンテナ手段を用いて前記第１無線タグ回路部より前記第１資格情報及び前記第１有効期限情報を取得し、
前記第１情報取得手段により前記第２無線タグ回路部より取得された前記複数の資格情報に前記第１無線タグ回路部より取得された前記第１資格情報と同一の資格に係わる資格情報が含まれ、かつ、前記第１情報取得手段により前記第２無線タグ回路部より取得された前記資格有効期限情報に前記第１無線タグ回路部より取得された前記第１有効期限情報と同一の資格に係わる有効期限情報が含まれていた場合、前記効力判定手段は、当該前記第１無線タグ回路部より取得された前記第１有効期限情報の表す有効期限が、前記第２無線タグ回路部より取得された前記同一の資格に係わる有効期限情報の表す有効期限よりも遅れて到来する期日であるかどうかを判定し、
前記情報記録手段は、
前記効力判定手段により、当該前記第１無線タグ回路部より取得された前記第１有効期限情報の表す有効期限が、前記第２無線タグ回路部より取得された前記同一の資格に係わる有効期限情報の表す有効期限よりも遅れて到来する期日であると判定された場合には、当該前記第１無線タグ回路部より取得された前記第１有効期限情報を前記第１アンテナ手段を用いて前記第２無線タグ回路部に書き込み、前記第２無線タグ回路部に記憶された前記同一の資格に係わる有効期限情報を上書き更新する
ことを特徴とする請求項５記載の無線タグ作成装置。
【請求項７】
前記第１情報取得手段は、
前記第１無線タグ回路部が前記ユーザの写真画像データを記憶していた場合には、前記第１アンテナ手段を用いて前記第１無線タグ回路部より前記ユーザの前記写真画像データを取得し、
前記第２情報取得手段は、
前記記載事項に前記ユーザの写真画像が含まれていた場合には、前記光学読み取り手段が生成した前記イメージデータに顔認識を実行することにより前記ユーザの前記写真画像に対応する前記ユーザの前記写真画像データを取得し、
かつ、
前記第１情報取得手段又は前記第２情報取得手段により取得された前記ユーザの前記写真画像データに対応した前記ユーザの写真画像を前記タグ媒体に対して印刷し、画像付きの前記無線タグを作成する画像印刷手段を設けた
ことを特徴とする請求項２乃至請求項６のいずれか１項記載の無線タグ作成装置。
【請求項８】
前記第１情報取得手段は、
前記第１無線タグ回路部が前記第１資格の第１取得日時情報及び前記ユーザの前記写真画像データを記憶していた場合には、前記第１アンテナ手段を用いて前記第１無線タグ回路部より前記第１取得日時情報及び前記ユーザの前記写真画像データを取得し、
前記第２情報取得手段は、
前記記載事項に前記第２資格の第２取得日時情報及び前記ユーザの前記写真画像が含まれていた場合には、前記第２取得日時情報及び前記ユーザの前記写真画像データを取得し、
前記画像印刷手段は、
前記第１情報取得手段又は前記第２情報取得手段により複数の前記ユーザの前記写真画像データが取得された場合には、当該複数の前記ユーザの前記写真画像データのうち、対応する前記第１取得日時情報又は前記第２取得日時情報が最新の前記ユーザの前記写真画像データを選択し、当該選択した写真画像データに対応した前記ユーザの写真画像を前記タグ媒体に対して印刷し、前記画像付きの前記無線タグを作成する
ことを特徴とする請求項７記載の無線タグ作成装置。
【請求項９】
前記第１無線タグ回路部が前記ユーザの写真画像データを記憶していない場合、又は、前記記載事項に前記ユーザの前記写真画像が含まれていない場合に、前記ユーザの写真撮影を行うための撮像手段を有し、
前記画像印刷手段は、
前記撮像手段により撮影された前記ユーザの写真画像を前記タグ媒体に対して印刷し、画像付きの前記無線タグを作成する
ことを特徴とする請求項７又は請求項８記載の無線タグ作成装置。
【発明の詳細な説明】
【技術分野】
【０００１】
本発明は、資格情報を記憶した無線タグを作成する無線タグ作成装置に関する。
【背景技術】
【０００２】
ユーザが資格を取得したとき、その資格は資格カードなどによって証明される。近年は各種の資格カードの電子化が進んでいる。例えば特許文献１には、表面に資格情報が印刷されるとともに、記録部に資格情報が電子化されて記録された、資格カードが開示されている。
【先行技術文献】
【特許文献】
【０００３】
【特許文献１】実開平６−４９０６４号公報
【発明の概要】
【発明が解決しようとする課題】
【０００４】
ユーザが複数の資格を持つ場合がある。このようなユーザが例えば就労活動のためにそれら複数の資格を証明したい場合に、ユーザが各資格それぞれに対応した複数枚の資格カードを持ち歩くのは面倒である。それらすべての資格をまとめて１枚の資格カードに記録し、その１枚の資格カードにより複数の資格すべてを証明することができれば、便利である。しかしながら、世の中には種々多様な資格カードがあり、上記従来技術のように資格情報が電子化されて記録されている資格カードもあるが、資格情報が電子化されず印刷されているだけの資格カードもある。したがって、このように種々の態様の複数の資格カードの資格情報をまとめて１枚の資格カードとして作成することは難しかった。
【０００５】
本発明の目的は、複数の資格カードの資格情報をまとめて記憶した１つの無線タグを簡単に作成し、ユーザの就労活動時における利便性を向上することにある。
【課題を解決するための手段】
【０００６】
上記目的を達成するために、第１の発明は、タグ媒体に無線タグ回路部を設けた無線タグを作成する無線タグ作成装置であって、ユーザの第１資格カードに設けられるとともに、前記ユーザの第１個人情報と前記ユーザが取得した第１資格を表す第１資格情報とを記憶した、第１無線タグ回路部に対し、無線通信可能な第１アンテナ手段と、前記第１アンテナ手段を用いて、前記第１無線タグ回路部より前記第１個人情報及び前記第１資格情報を取得する第１情報取得手段と、前記ユーザの第２資格カードの記載事項を光学的に読み取り、対応するイメージデータを生成可能な光学読み取り手段と、前記光学読み取り手段が生成した前記イメージデータに含まれる文字を認識し、前記記載事項に含まれる、前記ユーザの第２個人情報と前記ユーザが取得した第２資格を表す第２資格情報とを取得する第２情報取得手段と、前記タグ媒体に設けられた第２無線タグ回路部に対し、無線通信を行う第２アンテナ手段と、少なくとも１つの前記第１資格カードより前記第１情報取得手段を用いてそれぞれ取得された前記第１資格情報、及び、少なくとも１つの前記第２資格カードより前記第２情報取得手段を用いてそれぞれ取得された前記第２資格情報、のうち、少なくとも一方を含む複数の資格情報を、前記第２アンテナ手段を用いて１つの前記第２無線タグ回路部に書き込む情報記録手段とを有することを特徴とする。
【０００７】
本願第１発明の無線タグ作成装置は、複数の資格カードそれぞれの資格情報を読み取り、それら複数の資格情報をまとめて、新たに作成する無線タグに記憶させる。
【０００８】
第１資格カードには、ユーザの第１個人情報とユーザが取得済みの第１資格情報とが記憶されている。この第１資格カードに対し第１アンテナ手段が無線通信を行うことにより、第１情報取得手段が上記第１個人情報及び上記第１資格情報を取得する。このとき、第１情報取得手段は、複数の第１資格カードからそれぞれ上記第１個人情報及び上記第１資格情報を取得することもできる。
【０００９】
第２資格カードには、ユーザの第２個人情報とユーザが取得済みの第２資格情報とを含む所定の記載事項が記載されている。この第２資格カードに対し光学読み取り手段が光学的読み取りを行うことにより、第２情報取得手段が上記第２個人情報及び上記第２資格情報を取得する。このとき、第２情報取得手段は、複数の第２資格カードからそれぞれ上記第２個人情報及び上記第２資格情報を取得することもできる。
【００１０】
上記のように、第１資格カード及び第２資格カードのいずれかを少なくとも含む、複数の資格カードから、第１情報取得手段及び第２情報取得手段の少なくとも一方により、複数の資格情報が取得される。取得された複数の資格情報を、情報記録手段が、第２アンテナ手段を用いて、タグ媒体に設けた第２無線タグ回路部に書き込む。これにより、第２無線タグ回路部に複数の資格情報を記憶した無線タグが完成する。
【００１１】
以上のようにして、ユーザは、自らが所持する複数の資格カードを用いて、それら複数の資格カードのそれぞれに対応した複数の資格情報をまとめて記憶した１つの無線タグを、簡単に作成することができる。その際、電子化された情報が保持されていない資格カードであっても、光学読み取りにより資格情報を電子化して、無線タグへ記憶させることができる。これにより、就労活動を行う際に、ユーザは、作成された１つの無線タグを所持するだけで、自らの取得したすべての資格の内容を簡単に証明することができる。また、ユーザを雇用する雇用者は、ユーザの所持する無線タグに情報読み取りを行うだけで、当該ユーザの取得しているすべての資格の内容を迅速に把握することができる。
【００１２】
第２発明は、上記第１発明において、少なくとも１つの前記第１資格カードより前記第１情報取得手段を用いてそれぞれ取得された少なくとも１つの前記第１個人情報、及び、少なくとも１つの前記第２資格カードより前記第２情報取得手段を用いてそれぞれ取得された少なくとも１つの前記第２個人情報、のうち、少なくとも一方を含む、前記ユーザの複数の個人情報のそれぞれが、実質的に同一の情報であるかどうかを判定する個人情報判定手段を有し、前記個人情報判定手段により前記ユーザの複数の個人情報のそれぞれが実質的に同一の情報であると判定された場合には、前記情報記録手段が、当該個人情報を前記第２アンテナ手段を用いて１つの前記第２無線タグ回路部に書き込み、前記無線タグの作成を実行することを特徴とする。
【００１３】
複数の資格カードそれぞれから取得した個人情報の照合を行うことにより、他人の資格カードを用いた不正行為を防止することができる。
【００１４】
第３発明は、上記第２発明において、前記個人情報判定手段により前記ユーザの複数の個人情報のそれぞれが実質的に同一の情報ではないと判定された場合には、前記無線タグの作成を実行しない旨の報知を行う報知手段を有することを特徴とする。
【００１５】
無線タグの作成を実行しない旨の報知を行うことにより、無線タグが作成できないことをユーザに確実に認識させることができる。
【００１６】
第４発明は、上記第３発明において、前記第１資格カードの前記第１無線タグ回路部は、前記第１資格情報若しくは前記第２資格情報を管理する管理サーバの第１アドレス情報を記憶しており、前記第１情報取得手段が前記第１資格カードより前記第１個人情報、前記第１資格情報、及び前記第１アドレス情報を取得した場合、若しくは、前記第２情報取得手段が前記第２資格カードより前記第２個人情報、前記第２資格情報、及び前記管理サーバの第２アドレス情報を取得した場合に、前記第１アドレス情報若しくは前記第２アドレス情報に基づき、前記管理サーバへアクセスし、前記ユーザが、前記第１資格若しくは前記第２資格の資格保持者であるかどうかを問い合わせる問い合わせ手段と、前記問い合わせ手段による問い合わせ結果を、前記管理サーバより受信する受信手段と、前記受信手段により受信した前記問い合わせ結果に基づき、前記ユーザが正当な資格保持者であるかどうかを判定するユーザ判定手段とを有し、前記報知手段は、前記ユーザ判定手段により前記ユーザが前記正当な資格保持者ではないと判定された場合には、前記無線タグの作成を実行しない旨の報知を行うことを特徴とする。
【００１７】
資格管理サーバに問い合わせを行うことにより、偽造した資格カードを用いた不正行為を防止することができる。
【００１８】
第５発明は、上記第３又は第４発明において、前記第１情報取得手段は、前記第１無線タグ回路部が前記第１資格の第１有効期限情報を記憶していた場合には、前記第１アンテナ手段を用いて前記第１無線タグ回路部より前記第１有効期限情報を取得し、前記第２情報取得手段は、前記記載事項に前記第２資格の第２有効期限情報が含まれていた場合には、当該第２有効期限情報を取得し、かつ前記第１有効期限情報又は前記第２有効期限情報と、前記第１情報取得手段又は前記第２情報取得手段による情報取得時に日時を計時可能な計時手段により計時された日時とを、比較することにより、前記第１資格又は前記第２資格の有効期限が徒過したかどうか、若しくは、前記第１資格又は前記第２資格の有効期限の残余期間が所定のしきい値以下となったかどうか、を判定する効力判定手段を設け、前記報知手段は、前記効力判定手段により、前記有効期限が徒過した、若しくは、前記有効期限の残余期間が所定のしきい値以下となった、と判定された場合には、前記無線タグの作成を実行しない旨の報知を行い、前記情報記録手段は、前記効力判定手段により、前記有効期限の残余期間が所定のしきい値より大きいと判定された場合に、前記第１有効期限情報及び前記第２有効期限情報の少なくとも一方を含む資格有効期限情報を、前記第２アンテナ手段を用いて前記１つの第２無線タグ回路部に書き込むことを特徴とする。
【００１９】
これにより、ユーザが有効期限つきの資格を取得している場合に、ユーザが資格の内容と併せて資格の有効期限を証明したり、雇用者がユーザの資格の内容と併せて資格の有効期限を把握することができる。また、資格の有効期限が切れている場合には、無線タグの作成を行わない。これにより、期限切れとなり保有していない資格について、ユーザが保有を主張できないようにすることができる。また、資格の残りの有効期限が短い場合にも、無線タグの作成を行わない。これにより、実際に活用できる期間が短く、作成意義の薄い無駄な無線タグの作成を回避することができる。
【００２０】
第６発明は、上記第５発明において、過去において前記情報記録手段により前記第２無線タグ回路部に前記複数の資格情報と前記資格有効期限情報とが書き込まれて作成された前記無線タグと、前記第１資格情報及び前記第１有効期限情報を記憶した前記第１無線タグ回路部を備えた前記第１資格カードとが、前記第１アンテナ手段の通信範囲に存在した場合、前記第１情報取得手段は、前記第１アンテナ手段を用いて前記第２無線タグ回路部より前記複数の資格情報及び前記資格有効期限情報を取得するとともに、前記第１アンテナ手段を用いて前記第１無線タグ回路部より前記第１資格情報及び前記第１有効期限情報を取得し、前記第１情報取得手段により前記第２無線タグ回路部より取得された前記複数の資格情報に前記第１無線タグ回路部より取得された前記第１資格情報と同一の資格に係わる資格情報が含まれ、かつ、前記第１情報取得手段により前記第２無線タグ回路部より取得された前記資格有効期限情報に前記第１無線タグ回路部より取得された前記第１有効期限情報と同一の資格に係わる有効期限情報が含まれていた場合、前記効力判定手段は、当該前記第１無線タグ回路部より取得された前記第１有効期限情報の表す有効期限が、前記第２無線タグ回路部より取得された前記同一の資格に係わる有効期限情報の表す有効期限よりも遅れて到来する期日であるかどうかを判定し、前記情報記録手段は、前記効力判定手段により、当該前記第１無線タグ回路部より取得された前記第１有効期限情報の表す有効期限が、前記第２無線タグ回路部より取得された前記同一の資格に係わる有効期限情報の表す有効期限よりも遅れて到来する期日であると判定された場合には、当該前記第１無線タグ回路部より取得された前記第１有効期限情報を前記第１アンテナ手段を用いて前記第２無線タグ回路部に書き込み、前記第２無線タグ回路部に記憶された前記同一の資格に係わる有効期限情報を上書き更新することを特徴とする。
【００２１】
これにより、複数の資格情報を書き込んだ無線タグを作成後、それら複数の資格情報に対応する複数の資格の一つの有効期限が更新された場合に、当該資格の有効期限情報を最新の内容に更新することができる。
【００２２】
第７発明は、上記第２乃至第６発明のいずれかにおいて、前記第１情報取得手段は、前記第１無線タグ回路部が前記ユーザの写真画像データを記憶していた場合には、前記第１アンテナ手段を用いて前記第１無線タグ回路部より前記ユーザの前記写真画像データを取得し、前記第２情報取得手段は、前記記載事項に前記ユーザの写真画像が含まれていた場合には、前記光学読み取り手段が生成した前記イメージデータに顔認識を実行することにより前記ユーザの前記写真画像に対応する前記ユーザの前記写真画像データを取得し、かつ、前記第１情報取得手段又は前記第２情報取得手段により取得された前記ユーザの前記写真画像データに対応した前記ユーザの写真画像を前記タグ媒体に対して印刷し、画像付きの前記無線タグを作成する画像印刷手段を設けたことを特徴とする。
【００２３】
画像付きの無線タグとすることにより、他人の無線タグを用いて不正に就労活動を行うのを防止することができる。
【００２４】
第８発明は、上記第７発明において、前記第１情報取得手段は、前記第１無線タグ回路部が前記第１資格の第１取得日時情報及び前記ユーザの前記写真画像データを記憶していた場合には、前記第１アンテナ手段を用いて前記第１無線タグ回路部より前記第１取得日時情報及び前記ユーザの前記写真画像データを取得し、
前記第２情報取得手段は、前記記載事項に前記第２資格の第２取得日時情報及び前記ユーザの前記写真画像が含まれていた場合には、前記第２取得日時情報及び前記ユーザの前記写真画像データを取得し、前記画像印刷手段は、前記第１情報取得手段又は前記第２情報取得手段により複数の前記ユーザの前記写真画像データが取得された場合には、当該複数の前記ユーザの前記写真画像データのうち、対応する前記第１取得日時情報又は前記第２取得日時情報が最新の前記ユーザの前記写真画像データを選択し、当該選択した写真画像データに対応した前記ユーザの写真画像を前記タグ媒体に対して印刷し、前記画像付きの前記無線タグを作成することを特徴とする。
【００２５】
これにより、複数の画像情報のうち最近に撮影されたユーザ写真を用いて、画像付の無線タグを作成することができる。この結果、ユーザの最も新しい姿を無線タグの画像に対し反映させることができる。
【００２６】
第９発明は、上記第７又は第８発明において、前記第１無線タグ回路部が前記ユーザの写真画像データを記憶していない場合、又は、前記記載事項に前記ユーザの前記写真画像が含まれていない場合に、前記ユーザの写真撮影を行うための撮像手段を有し、前記画像印刷手段は、前記撮像手段により撮影された前記ユーザの写真画像を前記タグ媒体に対して印刷し、画像付きの前記無線タグを作成することを特徴とする。
【００２７】
これにより、画像情報が予め用意されていない場合であっても、その場で撮影したユーザ写真を添付することで、すべて画像付きの無線タグとすることができる。これにより、他人の無線タグを用いて不正に就労活動を行うのを確実に防止することができる。
【発明の効果】
【００２８】
本発明によれば、複数の資格カードの資格情報をまとめて記憶した１つの無線タグを簡単に作成し、ユーザの就労活動時における利便性を向上することができる。
【図面の簡単な説明】
【００２９】
【図１】本発明の一実施の形態の無線タグ作成装置を有する登録カード作成システムの全体構成を示すシステム構成図である。
【図２】登録カード作成装置の筐体の内部を説明する説明図である。
【図３】登録カード作成装置の機能構成を示す機能ブロック図である。
【図４】タグあり資格カードの無線タグ回路部の記憶内容の一例、及び、タグなし資格カードの記載事項の一例を表す図である。
【図５】登録カードの構成、及び、登録カードの無線タグ回路部の記憶内容の一例を表す図である。
【図６】登録カード作成装置の制御回路によって実行される制御内容を表すフローチャートである。
【図７】ステップＳ５０の詳細手順を表すフローチャートである。
【図８】ステップＳ１００の詳細手順を表すフローチャートである。
【図９】ステップＳ２００の詳細手順を表すフローチャートである。
【図１０】有効期限情報を上書き更新する変形例において、登録カード作成装置の制御回路によって実行される制御内容を表すフローチャートである。
【図１１】ステップＳ３００の詳細手順を表すフローチャートである。
【図１２】写真画像付きの登録カードを作成する変形例において、ステップＳ５０′の詳細手順を表すフローチャートである。
【発明を実施するための形態】
【００３０】
以下、本発明の一実施の形態を図面を参照しつつ説明する。
【００３１】
図１を用いて、本実施形態の無線タグ作成装置を有する登録カード作成システムの全体構成を説明する。
【００３２】
図１において、登録カード作成システム１は、例えば工事現場の作業員、イベントスタッフ、コンサートスタッフなど日雇いの労働者の資格情報を一括して記憶した無線タグを作成するためのシステムである。この登録カード作成システム１は、第１資格カードとしてのタグあり資格カードＬＣ１と、第２資格カードとしてのタグなし資格カードＬＣ２と、無線タグ作成装置としての登録カード作成装置１００と、管理サーバとしての複数のサーバ２００とを有している。
【００３３】
タグあり資格カードＬＣ１及びタグなし資格カードＬＣ２は、ユーザとしての労働者Ｗ、例えば工事現場の作業員、イベントスタッフ、コンサートスタッフなどの日雇いの労働者、により保有される。タグあり資格カードＬＣ１とタグなし資格カードＬＣ２との相違点は、タグあり資格カードＬＣ１が無線タグ回路部Ｔｏ１（詳細は後述）を備えているのに対し、タグなし資格カードＬＣ２は無線タグ回路部Ｔｏ１を備えていない点である。なお、以下適宜、これらタグあり資格カードＬＣ１及びタグなし資格カードＬＣ２を、総称して「資格カードＬＣ」や「資格カードＬＣ１，ＬＣ２」のように称する。
【００３４】
登録カード作成装置１００は、上記資格カードＬＣを用いて、無線タグとしての登録カードＴを作成するための装置である。この登録カード作成装置１００は、その外郭を構成する、全体的に直方体状の筐体１００ａを有している。なお、この筐体１００ａの外観は、例えば、周知の自動証明写真発行装置と同様の外観である。
【００３５】
図１中左側に表される筐体１００ａの左側面部には、カード排出口１０１と、出入り口Ｇとが設けられている。カード排出口１０１は、作成された登録カードＴを筐体１００ａの外部へ排出する。登録カードＴは、無線タグ回路部Ｔｏ２（詳細は後述）を備えている。
【００３６】
また、筐体１００ａの内部には、労働者Ｗが所定の操作を行うための空間（図示せず）が形成されている。労働者Ｗは、登録カードＴを作成する際に、自己の資格カードＬＣを所持して、上記出入り口Ｇより筐体１００ａの内部へ入るようになっている。
【００３７】
サーバ２００は、それぞれ所定の資格を交付・管理等する機構、協会、委員会等に設置されたコンピュータである。これら各サーバ２００は、それぞれ対応する資格、例えば危険物取扱者、陸上無線技術士、運転免許等の資格情報と、資格保持者の氏名、住所、電話番号等の個人情報などを対応付けて管理している。
【００３８】
また、上記登録カード作成装置１００及びサーバ２００は、例えばＬＡＮあるいは無線ＬＡＮ等の有線あるいは無線のネットワークＮＷを介して、情報入出力可能に接続されている。したがって、労働者Ｗの資格カードＬＣより個人情報及び資格情報などを取得した場合に、対応するサーバ２００へアクセスし問い合わせることにより、資格カードＬＣを保有する労働者Ｗが正当な資格保有者であるかどうかを確認することができる（詳細は後述）。
【００３９】
図２を用いて、登録カード作成装置１００の筐体１００ａの内部を説明する。
【００４０】
図２において、登録カード作成装置１００の筐体１００ａの内部、例えば上記図１中手前側で表される前面部の内壁には、タッチパネル１０２と、撮像手段としてのカメラ１０３と、第１アンテナ手段としての資格カード用アンテナ１０４Ｒと、光学読み取り手段としてのスキャナ１０５とが設けられている。
【００４１】
タッチパネル１０２は、複数の画面を所定の順序で順次切り替えて、労働者Ｗに対し各種指示や各種情報を表示するとともに、労働者Ｗが手動操作可能な各種ボタンを表示する。
【００４２】
カメラ１０３は、労働者Ｗの写真撮影を行うことができる。
【００４３】
資格カード用アンテナ１０４Ｒは、所定の通信範囲（図示せず）内に位置するタグあり資格カードＬＣ１の無線タグ回路部Ｔｏ１と、無線通信により情報の送受信を行う。なお、この資格カード用アンテナ１０４Ｒは、上記登録カードＴの無線タグ回路部Ｔｏ２とも無線通信により情報の送受信を行うことができる（後述の（１）の変形例を参照）。
【００４４】
また、無線タグ回路部Ｔｏ１は、情報を記憶するメモリ部（図示せず）を備えたＩＣ回路部１５０と、情報を送受信するタグアンテナ１５１とにより構成される。なお、この無線タグ回路部Ｔｏ１が、第１無線タグ回路部に相当する。
【００４５】
スキャナ１０５は、例えば上記資格カード用アンテナ１０４Ｒにより情報の取得が行えない資格カードＬＣ、言い換えれば、上記無線タグ回路部Ｔｏ１を備えていないタグなし資格カードＬＣ２、に記載された文字、画像等の記載事項（この図２では図示省略。後述の図４（ｂ）を参照）を光学的に読み取ることにより、対応するイメージデータの生成を行う。
【００４６】
図３を用いて、登録カード作成装置１００の機能構成を説明する。
【００４７】
図３において、登録カード作成装置１００は、上記タッチパネル１０２と、上記カメラ１０３と、上記資格カード用アンテナ１０４Ｒと、上記スキャナ１０５と、上記筐体１００ａに設けたカード排出口１０１と、カード基材テープロール１０６と、第２アンテナとしての登録カード用アンテナ１０４Ｗと、高周波回路１０８Ｒ，１０８Ｗと、制御回路１０９と、計時手段としてのタイマ１１０と、ネットワーク通信制御部１１１と、画像印字手段としての印字ヘッド１１２と、搬送ローラ１１３と、カッタ１１４とを有している。
【００４８】
カード基材テープロール１０６は、タグ媒体としてのカード基材テープ１０７を巻回する。なお、カード基材テープロール１０６の概観は、本来は渦巻状であるが、この図３では簡略化して同心円で図示している。
【００４９】
カード基材テープ１０７には、所定間隔で、無線タグ回路部Ｔｏ２が設けられている。無線タグ回路部Ｔｏ２は、上記ＩＣ回路部１５０及び上記タグアンテナ１５１により構成される。なお、この無線タグ回路部Ｔｏ２が、第２無線タグ回路部に相当する。
【００５０】
登録カード用アンテナ１０４Ｗは、上記カード基材テープ１０７の無線タグ回路部Ｔｏ２に対し、無線通信により情報の送受信を行う。なお、この登録カード用アンテナ１０４Ｗを省略し、上記資格カード用アンテナ１０４Ｒを用いて上記無線タグ回路部Ｔｏ２と通信するようにしてもよい。この場合、資格カード用アンテナ１０４Ｒが、第１アンテナ手段と併せて、第２アンテナ手段としても機能する。
【００５１】
高周波回路１０８Ｒは、上記資格カード用アンテナ１０４Ｒを介し、タグあり資格カードＬＣ１の無線タグ回路部Ｔｏ１のＩＣ回路部１５０へ、無線通信によりアクセスして情報読み取り又は情報書き込みを行うとともに、その無線タグ回路部Ｔｏ１から読み出された信号を処理する。高周波回路１０８Ｗは、上記登録カード用アンテナ１０４Ｗを介し、カード基材テープ１０７の無線タグ回路部Ｔｏ２のＩＣ回路部１５０へ、無線通信によりアクセスして情報読み取り又は情報書き込みを行うとともに、その無線タグ回路部Ｔｏ２から読み出された信号を処理する。
【００５２】
制御回路１０９は、図示しないＣＰＵ及びＲＡＭ、ＲＯＭ等のメモリを備えている。制御回路１０９のＣＰＵは、ＲＡＭの一時記憶機能を利用しつつＲＯＭに予め記憶されたプログラムを実行する。
【００５３】
タイマ１１０は、日時を計時する。ネットワーク通信制御部１１１は、上記サーバ２００との間でネットワークＮＷを介して行われるネットワーク通信の制御を行う。
【００５４】
印字ヘッド１１２は、上記カード基材テープロール１０６より繰り出されたカード基材テープ１０７のうち、上記無線タグ回路部Ｔｏ２の位置に対応した所定の印刷領域（図示せず）に所定の印刷を行う。
【００５５】
搬送ローラ１１３は、上記カード基材テープ１０７を搬送する。カッタ１１４は、上記印刷領域への印刷、及び、上記無線タグ回路部Ｔｏ２への情報の書き込み、が終了したカード基材テープ１０７を所定の長さに切断し、登録カードＴとする。
【００５６】
以上のような構成において、本実施形態の最大の特徴は、資格カード用アンテナ１０４Ｒを用いて、タグあり資格カードＬＣ１の無線タグ回路部Ｔｏ１より労働者Ｗの個人情報及び資格情報等を取得すること、スキャナ１０５を用いて、タグなし資格カードＬＣ２の記載事項に含まれる労働者Ｗの個人情報及び資格情報等を取得すること、及び、資格カードＬＣ１，ＬＣ２のいずれかを少なくとも含む複数の資格カードＬＣより取得された複数の資格情報を、登録カード用アンテナ１０４Ｗを用いて、１つの無線タグ回路部Ｔｏ２に書き込むこと、である。
【００５７】
図４を用いて、タグあり資格カードＬＣ１の無線タグ回路部Ｔｏ１の記憶内容、及び、タグなし資格カードＬＣ２の記載事項を説明する。図４（ａ）には、無線タグ回路部Ｔｏ１の記憶内容の一例を概念的に表し、図４（ｂ）には、タグなし資格カードＬＣ２の記載事項の一例を表している。
【００５８】
図４（ａ）に示すように、タグあり資格カードＬＣ１に設けられた無線タグ回路部Ｔｏ１のＩＣ回路部１５０の上記メモリ部には、タグ識別情報（以下、単に「タグＩＤ」という）、個人情報、資格情報、取得日時情報、有効期限情報、及び問合せ先情報が記憶されている。
【００５９】
無線タグ回路部Ｔｏ１の上記メモリ部に記憶されたタグＩＤは、この無線タグ回路部Ｔｏ１の固有の識別記号である。この例では、「ａｂｃ０１２」と記憶されている。
【００６０】
個人情報は、労働者Ｗの氏名、生年月日、年齢、性別、住所、電話番号、メールアドレス、資格番号などの個人に関する情報である。この例では個人情報としての、氏名「名古屋太郎」、及び、生年月日「昭和５５年５月５日生」がそれぞれ記憶されている。なお、無線タグ回路部Ｔｏ１の上記メモリ部に記憶されたタグＩＤ及び個人情報が、第１個人情報に相当する。
【００６１】
資格情報は、労働者Ｗが取得した資格、但し免許や検定も含む、の名称等を表す情報である。この例では資格情報として、「△△△資格」が記憶されている。なお、無線タグ回路部Ｔｏ１の上記メモリ部に記憶された資格情報が、第１資格情報に相当し、この資格情報により表される資格が、第１資格に相当する。
【００６２】
取得日時情報は、労働者Ｗが取得した資格の取得日時、交付日時等の情報である。この例では取得日時情報として、「平成１８年１月８日」が記憶されている。なお、無線タグ回路部Ｔｏ１の上記メモリ部に記憶された取得日時情報が、第１取得日時情報に相当する。
【００６３】
有効期限情報は、労働者Ｗが取得した資格の有効期限の日時情報である。この例では有効期限情報として、「平成２８年１月８日」が記憶されている。なお、無線タグ回路部Ｔｏ１の上記メモリ部に記憶された有効期限情報が、第１有効期限情報に相当する。
【００６４】
問合せ先情報は、労働者Ｗが取得した資格を管理する上記サーバ２００へアクセスするためのアドレス情報、例えばＵｎｉｆｏｒｍ  Ｒｅｓｏｕｒｃｅ  Ｌｏｃａｔｏｒ（ＵＲＬ）情報などである。この例では問合せ先情報として、「ｈｔｔｐ：／／○△□」が記憶されている。なお、無線タグ回路部Ｔｏ１の上記メモリ部に記憶された問合せ先情報が、第１アドレス情報に相当する。
【００６５】
なお、タグあり資格カードＬＣ１の表面には、無線タグ回路部Ｔｏ１に記憶された各種情報とほぼ同様の内容が印刷等により記載されていてもよい。
【００６６】
一方、図４（ｂ）に示すように、タグなし資格カードＬＣ２の表面には、上記個人情報、上記資格情報、上記取得日時情報、上記有効期限情報、及び上記問合せ先情報を含む文字が印刷により記載されている。
【００６７】
この例では上記個人情報としての、氏名「名古屋太郎」、生年月日「昭和５５年５月５日生」、及び、資格番号「第１２３４５６７８」がそれぞれ記載されている。なお、タグなし資格カードＬＣ２の記載事項に含まれる個人情報が、第２個人情報に相当する。
【００６８】
また、この例では上記資格情報として、「○○○免許」が記載されている。なお、タグなし資格カードＬＣ２の記載事項に含まれる資格情報が、第２資格情報に相当し、この資格情報により表される資格が、第２資格に相当する。
【００６９】
また、この例では上記取得日時情報としての交付日「平成２０年２月２日」が記載されている。なお、タグなし資格カードＬＣ２の記載事項に含まれる取得日時情報が、第２取得日時情報に相当する。
【００７０】
また、この例では上記有効期限情報としての有効期限「平成２５年２月２日」が記載されている。なお、タグなし資格カードＬＣ２の記載事項に含まれる有効期限情報が、第２有効期限情報に相当する。
【００７１】
また、この例では上記問合せ先情報としての問合せ先「ｈｔｔｐ：×××」が記載されている。なお、タグなし資格カードＬＣ２の記載事項に含まれる問合せ先情報が、第２アドレス情報に相当する。
【００７２】
本実施形態では、労働者Ｗによりタグあり資格カードＬＣ１が上記資格カード用アンテナ１０４Ｒの通信範囲内にかざされると、無線タグ回路部Ｔｏ１に記憶された、上記タグＩＤ、個人情報、資格情報、取得日時情報、有効期限情報、及び問合せ先情報が上記資格カード用アンテナ１０４Ｒを介して取得される。また、労働者Ｗによりタグなし資格カードＬＣ２の文字、画像等が記載された面がスキャナ１０５に向けられると、その記載事項が読み取られ対応するイメージデータが生成される。そして、その生成されたイメージデータに基づき、上記記載事項に含まれる、上記個人情報、資格情報、取得日時情報、有効期限情報、及び問合せ先情報が取得される。
【００７３】
このように、労働者Ｗの保有する資格カードＬＣより情報が取得されると、その後、（ｉ）取得された労働者Ｗの複数の個人情報のそれぞれが実質的に同一の情報であるかどうか、（ｉｉ）労働者Ｗが、取得された資格情報により表される資格の正当な資格保有者であるかどうか、（ｉｉｉ）取得された資格情報により表される資格の有効期限の残余期間が所定のしきい値以下となったかどうか、を判定する。なお、（ｉ）〜（ｉｉｉ）の判定の詳細は後述する。
【００７４】
そして、（ｉ）〜（ｉｉｉ）の判定が１つでも満たされなかった場合は、登録カードＴの作成は行われず、（ｉ）〜（ｉｉｉ）の判定がすべて満たされた場合に限り、登録カードＴの作成が行われる。すなわち、印字ヘッド１１２により上記カード基材テープ１０７の上記印刷領域に、例えば氏名等の印字が行われ、登録カード用アンテナ１０４Ｗを介して、資格カードＬＣより取得された複数の資格情報等が１つの上記無線タグ回路部Ｔｏ２に書き込まれる。その後、カード基材テープ１０７は、カッタ１１４により所定の長さに切断され、上記複数の資格情報等が記憶された１つの無線タグ回路部Ｔｏ２を備えた登録カードＴが生成されるのである。
【００７５】
上記のようにして作成された、登録カードＴの構成、及び、登録カードＴの無線タグ回路部Ｔｏ２の記憶内容を、図５を用いて説明する。図５（ａ）には、登録カードＴの外観構造を表し、図５（ｂ）には、登録カードＴの無線タグ回路部Ｔｏ２の記憶内容の一例を概念的に表している。
【００７６】
図５（ａ）及び図５（ｂ）において、この例では、上記図４（ａ）に示すタグあり資格カードＬＣ１、及び、上記図４（ｂ）に示すタグなし資格カードＬＣ２、の２つの資格カードＬＣに基づき、作成された登録カードＴの一例を示している。
【００７７】
図５（ａ）に示すように、登録カードＴは、カード形状のカード本体Ｔｂを有している。なお、このカード本体Ｔｂは、上記カード基材テープロール１０６から繰り出されたカード基材テープ１０７を、カッタ１１４により所定の長さに切断されることにより形成される。カード本体Ｔｂは、カード基材テープ１０７以外の層を適宜に含んだ、複数層構造であってもよい。このカード本体Ｔｂは、上記ＩＣ回路部１５０及び上記タグアンテナ１５１により構成される上記無線タグ回路部Ｔｏ２を備えている。
【００７８】
また、カード本体Ｔｂ、すなわち、上記カード基材テープ１０７の上記印刷領域に、所定の印字Ｒ、この例では無線タグ回路部Ｔｏ２に記憶された氏名「名古屋太郎」、が印刷されている。なお、上記印刷領域には、氏名に限らず無線タグ回路部Ｔｏ２に記憶されたその他の情報を印刷するようにしてもよい。
【００７９】
一方、図５（ｂ）に示すように、上記無線タグ回路部Ｔｏ２のＩＣ回路部１５０の上記メモリ部には、タグＩＤ、個人情報、資格情報、及び資格有効期限情報が記憶されている。
【００８０】
無線タグ回路部Ｔｏ２の上記メモリ部に記憶されたタグＩＤは、この無線タグ回路部Ｔｏ２の固有の識別番号である。この例では、「ｘｙｚ７８９」と記憶されている。
【００８１】
無線タグ回路部Ｔｏ２の上記メモリ部に記憶された個人情報は、労働者Ｗの資格カードＬＣ１，ＬＣ２よりそれぞれ取得された個人情報に対応した情報である。この例では個人情報として、資格カードＬＣ１，ＬＣ２に記憶又は記載された個人情報に対応した、氏名「名古屋太郎」、及び、生年月日「昭和５５年５月５日生」がそれぞれ記憶されている。
【００８２】
無線タグ回路部Ｔｏ２の上記メモリ部に記憶された資格情報は、労働者Ｗの資格カードＬＣ１，ＬＣ２よりそれぞれ取得された資格情報を併せて含む情報である。この例では資格情報として、タグあり資格カードＬＣ１に記憶された資格情報である「△△△資格」、及び、タグなし資格カードＬＣ２に記載された資格情報である「○○○免許」がそれぞれ記憶されている。
【００８３】
無線タグ回路部Ｔｏ２の上記メモリ部に記憶された資格有効期限情報は、労働者Ｗの資格カードＬＣ１，ＬＣ２よりそれぞれ取得された有効期限情報を含む情報である。なお、この資格有効期限情報は、資格情報と対応付けされて記憶されている。この例では資格有効期限情報として、タグあり資格カードＬＣ１に記憶された「△△△資格」に対応した有効期限情報である「平成２８年１月８日」、及び、タグなし資格カードＬＣ２に記載された「○○○免許」に対応した有効期限情報である「平成２５年２月２日」がそれぞれ記憶されている。
【００８４】
登録カード作成装置１００の制御回路１０９によって実行される制御内容を、図６を用いて説明する。
【００８５】
図６において、例えば登録カード作成装置１００の設置者や管理者等により登録カード作成装置１００の電源がオンにされることによって、図中「ＳＴＡＲＴ」位置で表されるように、このフローが開始される。
【００８６】
まずステップＳ１０で、制御回路１０９は、所定の開始操作、例えばタッチパネル１０２に表示された待ち受け状態の画面（図示せず）上の作成開始ボタン（図示せず）の手動操作、が行われたかどうかを判定する。開始操作が行われるまで、判定が満たされずループ待機し、開始操作が行われたら、判定が満たされてステップＳ５０に移る。
【００８７】
ステップＳ５０では、制御回路１０９は、資格カード用アンテナ１０４Ｒ及びスキャナ１０５を用いて、資格カードＬＣ１，ＬＣ２より情報取得を行う情報取得処理（詳細手順は後述の図７参照）を実行する。
【００８８】
そして、ステップＳ１００に移り、制御回路１０９は、上記ステップＳ５０で資格カードＬＣより取得された情報に基づき、所定の判定を行う判定処理（詳細手順は後述の図８参照）を実行する。
【００８９】
その後、ステップＳ２００で、制御回路１０９は、登録カードＴの作成を行う登録カード作成処理（詳細手順は後述の図９参照）を実行する。
【００９０】
そして、ステップＳ２０に移り、制御回路１０９は、所定の終了操作、例えば登録カード作成装置１００の電源オフ、が行われたかどうかを判定する。終了操作が行われていない場合には、判定が満たされずステップＳ１０に戻り、同様の手順を繰り返す。終了操作が行われた場合には、判定が満たされて、このフローを終了する。
【００９１】
上記図６のステップＳ５０の詳細手順を、図７を用いて説明する。
【００９２】
図７において、まずステップＳ５５で、制御回路１０９は、労働者Ｗがタグあり資格カードＬＣ１を保有しているかどうかを判定する。この判定は、例えばタッチパネル１０２に「ＩＣチップ入りの資格証をお持ちですか？お持ちの方は『はい』、お持ちでない方は『いいえ』をタッチしてください」等を表示させ、労働者Ｗにより『はい』ボタンが手動操作されたかどうかを判定すれば足りる。労働者Ｗがタグあり資格カードＬＣ１を保有していない場合には、判定が満たされず、後述のステップＳ７５に移る。一方、労働者Ｗがタグあり資格カードＬＣ１を保有している場合には、判定が満たされてステップＳ６０に移る。
【００９３】
ステップＳ６０では、制御回路１０９は、高周波回路１０８Ｒに制御信号を出力し、タグあり資格カードＬＣ１の無線タグ回路部Ｔｏ１の上記メモリ部に記憶された情報を読み出すためのタグ読み取り信号を生成する。そして、その生成したタグ読み取り信号を、資格カード用アンテナ１０４Ｒを介して、通信範囲内に存在する無線タグ回路部Ｔｏ１に送信し、返信を促す。このとき、例えばタッチパネル１０２に「ＩＣチップ入りの資格証を左側の読み取り部分にかざしてください」等を表示させる。
【００９４】
その後、ステップＳ６５で、制御回路１０９は、上記タグ読み取り信号に対応し通信範囲内の無線タグ回路部Ｔｏ１から返信された応答信号を、資格カード用アンテナ１０４Ｒ及び高周波回路１０８Ｒを介し受信したかどうかを判定する。労働者Ｗがタグあり資格カードＬＣ１を上記通信範囲内にかざしておらず無線タグ回路部Ｔｏ１から応答信号を受信していない場合には、判定が満たされず上記ステップＳ６０に戻り、再びタグ読み取り信号の送信を繰り返す。一方、労働者Ｗがタグあり資格カードＬＣ１を上記通信範囲内にかざし無線タグ回路部Ｔｏ１から応答信号を受信した場合には、判定が満たされてステップＳ７０に移る。
【００９５】
ステップＳ７０では、制御回路１０９は、上記ステップＳ６５で受信された応答信号より、無線タグ回路部Ｔｏ１に記憶された、タグＩＤ、個人情報、資格情報、取得日時情報、有効期限情報、及び問合せ先情報（図４（ａ）を参照）を抽出して取得する。複数の資格カードＬＣ１がかざされた場合には、それぞれについて上記の情報を取得する。なお、このステップが、第１情報取得手段として機能する。
【００９６】
そして、ステップＳ７５に移り、制御回路１０９は、労働者Ｗがタグなし資格カードＬＣ２を保有しているかどうかを判定する。この判定は、例えばタッチパネル１０２に「ＩＣチップが入っていない資格証をお持ちですか？お持ちの方は『はい』、お持ちでない方は『いいえ』をタッチしてください」等を表示させ、労働者Ｗにより『はい』ボタンが手動操作されたかどうかを判定すれば足りる。労働者Ｗがタグなし資格カードＬＣ２を保有していない場合には、判定が満たされず、このルーチンを終了する。一方、労働者Ｗがタグなし資格カードＬＣ２を保有している場合には、判定が満たされてステップＳ８０に移る。
【００９７】
ステップＳ８０では、制御回路１０９は、例えばタッチパネル１０２に「ＩＣチップが入っていない資格証のお名前等が記載された面を右側の読み取り部分にかざしてください」等を表示させ、スキャナ１０５に制御信号を出力し、タグなし資格カードＬＣ２の記載事項を光学的に読み取らせ、対応するイメージデータを生成させる。複数の資格カードＬＣ２がかざされた場合には、それぞれについてイメージデータを生成させる。
【００９８】
その後、ステップＳ８５で、制御回路１０９は、上記ステップＳ８０で生成されたイメージデータに含まれる文字情報を、公知の手法により文字認識する。そして、制御回路１０９は、タグなし資格カードＬＣ２の記載事項に含まれる、個人情報、資格情報、取得日時情報、有効期限情報、及び問合せ先情報（図４（ｂ）を参照）を取得する。なお、このステップが、第２情報取得手段として機能する。その後、このルーチンを終了する。
【００９９】
上記図６のステップＳ１００の詳細手順を、図８を用いて説明する。
【０１００】
図８において、まずステップＳ１１０で、制御回路１０９は、上記図７のステップＳ７０及びステップＳ８５において、資格カードＬＣ１，ＬＣ２のいずれかを少なくとも含む複数の資格カードＬＣ（以下適宜、単に「複数の資格カードＬＣ」という）より労働者Ｗの複数の資格情報が取得されたかどうかを判定する。複数の資格情報が取得されていない場合には、判定が満たされずステップＳ１１５に移る。この判定が満たされない場合の具体例としては、例えば労働者Ｗが１枚の資格カードＬＣ１若しくは１枚の資格カードＬＣ２しか用意していなかったり、あるいは労働者Ｗは複数の資格カードＬＣを用意していたが、１枚の資格カードＬＣからしか情報を取得できなかった場合等、が考えられる。
【０１０１】
ステップＳ１１５では、制御回路１０９は、タッチパネル１０２に表示信号を出力し、所定のエラー表示、例えば「複数の資格が読み取れなかったため、登録カードを作成できません」を行う。その後、上記図６のステップＳ２０に戻り、同様の手順を繰り返す。
【０１０２】
一方、上記図７のステップＳ７０及びステップＳ８５において、複数の資格カードＬＣより複数の資格情報が取得された場合には、ステップＳ１１０の判定が満たされて、ステップＳ１２０に移る。
【０１０３】
ステップＳ１２０では、制御回路１０９は、上記図７のステップＳ７０及びステップＳ８５で複数の資格カードＬＣより取得された、労働者Ｗの複数の個人情報のそれぞれが、実質的に同一の情報であるかどうかを判定する。具体的には、上記ステップＳ７０でタグあり資格カードＬＣ１より取得された個人情報、又は、上記ステップＳ８５でタグなし資格カードＬＣ２より取得された個人情報、の少なくとも一方を含む複数の個人情報のそれぞれが、実質的に同一の情報であるかどうかを判定する。なお、このステップが、個人情報判定手段として機能する。
【０１０４】
例えば、上記ステップＳ７０及びステップＳ８５で、一方の資格カードＬＣより個人情報としての氏名「名古屋太郎」を取得し、他方の資格カードＬＣより氏名「瑞穂花子」を取得した場合がある。この場合、２つの資格カードＬＣより取得された「名古屋太郎」及び「瑞穂花子」は、実質的に同一の情報ではない。このように、上記ステップＳ７０及びステップＳ８５で複数の資格カードＬＣより取得された、複数の個人情報のそれぞれが、実質的に同一の情報ではない場合には、ステップＳ１２０の判定が満たされず、ステップＳ１２５に移る。
【０１０５】
ステップＳ１２５では、制御回路１０９は、タッチパネル１０２に表示信号を出力し、登録カードＴの作成を実行しない旨の報知としての所定のエラー表示、例えば「資格証に記録された個人情報が一致しないため、登録カードを作成できません」を行う。その後、上記図６のステップＳ２０に戻り、同様の手順を繰り返す。
【０１０６】
一方、例えば、上記ステップＳ７０及びステップＳ８５で、一方の資格カードＬＣより氏名「名古屋太郎」を取得し、他方の資格カードＬＣより氏名「ナゴヤタロウ」を取得した場合がある。この場合、２つの資格カードＬＣより取得された「名古屋太郎」及び「ナゴヤタロウ」は、実質的に同一の情報である。このように、上記ステップＳ７０及びステップＳ８５で複数の資格カードＬＣより取得された、複数の個人情報のそれぞれが、実質的に同一の情報である場合には、ステップＳ１２０の判定が満たされて、ステップＳ１３０に移る。
【０１０７】
ステップＳ１３０では、制御回路１０９は、上記ステップＳ７０及びステップＳ８５で複数の資格カードＬＣより取得された複数の上記問合せ先情報に基づき、ネットワーク通信制御部１１１及びネットワークＮＷを介し、対応するサーバ２００へそれぞれアクセスする。そして、制御回路１０９は、上記複数の資格カードＬＣより取得された複数の資格情報により表される各資格の資格保持者が、労働者Ｗであるかどうかをそれぞれ問い合わせる。なお、このステップが、問い合わせ手段として機能する。
【０１０８】
その後、ステップＳ１３５で、制御回路１０９は、上記ステップＳ１３０における複数の問い合わせ結果を、各サーバ２００よりネットワークＮＷ及びネットワーク通信制御部１１１を介しすべて受信したかどうかを判定する。問い合わせ結果をすべて受信するまで、判定が満たされずループ待機し、問い合わせ結果をすべて受信したら、判定が満たされてステップＳ１４０に移る。なお、このステップＳ１３５が、受信手段として機能する。
【０１０９】
そして、ステップＳ１４０に移り、制御回路１０９は、上記ステップＳ１３５で受信した複数の問い合わせ結果に基づき、上記各資格のすべてについて、労働者Ｗが正当な資格保持者であるかどうかを判定する。なお、このステップが、ユーザ判定手段として機能する。労働者Ｗが正当な資格保持者ではない資格が１つでもあった場合には、判定が満たされず、ステップＳ１４５に移る。
【０１１０】
ステップＳ１４５では、制御回路１０９は、タッチパネル１０２に表示信号を出力し、上記報知としての所定のエラー表示、例えば「他人の資格証があるため、登録カードを作成できません」を行う。その後、上記図６のステップＳ２０に戻り、同様の手順を繰り返す。
【０１１１】
一方、上記ステップＳ１４０において、上記各資格のすべてについて、労働者Ｗが正当な資格保持者であった場合には、ステップＳ１４０の判定が満たされて、ステップＳ１５０に移る。
【０１１２】
ステップＳ１５０では、制御回路１０９は、上記ステップＳ７０及びステップＳ８５で複数の資格カードＬＣより取得された複数の有効期限情報と、前述のタイマ１１０（図３参照）により計時されている日時とをそれぞれ比較する。そして、制御回路１０９は、上記複数の有効期限情報により表される各資格のすべてについて、資格の有効期限の残余期間が、所定のしきい値以下、例えば１０日間以下となっているかどうかを判定する。若しくは、このステップＳ１５０で、制御回路１０９は、単に上記各資格のすべてについて、資格の有効期限が徒過しているかどうかを判定するようにしてもよい。なお、このステップが、効力判定手段として機能する。上記有効期限の残余期間が上記しきい値以下となっている資格が１つでもあった場合、若しくは、上記有効期限が徒過している資格が１つでもあった場合には、判定が満たされてステップＳ１５５に移る。
【０１１３】
ステップＳ１５５では、制御回路１０９は、タッチパネル１０２に表示信号を出力し、上記報知としての所定のエラー表示、例えば「資格の有効期限が近いものがあるため、登録カードを作成できません」を行う。その後、上記図６のステップＳ２０に戻り、同様の手順を繰り返す。
【０１１４】
一方、上記ステップＳ１５０において、上記各資格のすべてについて、有効期限の残余期間が上記しきい値よりも大きかった場合、若しくは、上記各資格のすべてについて、有効期限が徒過していなかった場合には、ステップＳ１５０の判定が満たされず、このルーチンを終了する。
【０１１５】
なお、上記図８において、ステップＳ１２５、ステップＳ１４５、及びステップＳ１５５が、各請求項記載の報知手段として機能する。
【０１１６】
上記図６のステップＳ２００の詳細手順を、図９を用いて説明する。
【０１１７】
図９において、まずステップＳ２０５で、制御回路１０９は、印字ヘッド１１２に制御信号を出力し、上記図７のステップＳ７０及びステップＳ８５で取得された個人情報、例えば氏名を、カード基材テープ１０７の上記印刷領域に対して印刷させる。
【０１１８】
そして、ステップＳ２１０に移り、制御回路１０９は、高周波回路１０８Ｗに制御信号を出力し、カード基材テープ１０７の無線タグ回路部Ｔｏ２の上記メモリ部に、上記図７のステップＳ７０及びステップＳ８５で取得された、労働者Ｗの個人情報及び複数の資格情報と、当該取得された複数の有効期限情報を含む上記資格有効期限情報とを書き込むためのタグ書き込み信号を生成する。そして、その生成したタグ書き込み信号を、登録カード用アンテナ１０４Ｗを介して、１つの無線タグ回路部Ｔｏ２に送信し、個人情報、複数の資格情報、及び資格有効期限情報を書き込む。なお、このステップが、情報記録手段として機能する。
【０１１９】
その後、ステップＳ２１５で、制御回路１０９は、無線タグ回路部Ｔｏ２の上記メモリ部への情報の書き込みが正常に完了したかどうかを公知の手法により判定する。書き込みが正常に完了していない場合には、判定が満たされず上記ステップＳ２１０に戻り、同様の手順を繰り返す。一方、書き込みが正常に完了した場合には、判定が満たされてステップＳ２２０に移る。
【０１２０】
ステップＳ２２０では、制御回路１０９は、無線タグ回路部Ｔｏ２の上記メモリ部への情報の書き込みが終了したカード基材テープ１０７を、カッタ１１４により所定の長さに切断し、登録カードＴを形成する。そして、制御回路１０９は、図示しない排出ローラを駆動して登録カードＴを外部へ排出する。そして、このルーチンを終了する。
【０１２１】
以上説明したように、本実施形態においては、タグあり資格カードＬＣ１の無線タグ回路部Ｔｏ１には、労働者Ｗの個人情報及び資格情報等が記憶されている（図４（ａ）を参照）。このタグあり資格カードＬＣ１に対し、資格カード用アンテナ１０４Ｒを介して無線通信を行うことにより、それら個人情報及び資格情報等が取得される（図７のステップＳ７０を参照）。このとき、複数のタグあり資格カードＬＣ１よりそれぞれ個人情報及び資格情報等を取得することもできる。一方、タグなし資格カードＬＣ２には、労働者Ｗの個人情報及び資格情報等を含む所定の記載事項が記載されている（図４（ｂ）を参照）。このタグなし資格カードＬＣ２に対し、スキャナ１０５を介して光学的読み取りを行うことにより、それら個人情報及び資格情報等が取得される（図７のステップＳ８５を参照）。このとき、複数のタグなし資格カードＬＣ２よりそれぞれ個人情報及び資格情報等を取得することもできる。このようにして、資格カードＬＣ１，ＬＣ２のいずれかを少なくとも含む複数の資格カードＬＣより、複数の資格情報が取得される。そして、取得された複数の資格情報は、登録カード用アンテナ１０４Ｗを介して、カード基材テープ１０７の１つの無線タグ回路部Ｔｏ２に書き込まれる（図９のステップＳ２１０を参照）。これにより、１つの無線タグ回路部Ｔｏ２に複数の資格情報が記憶された登録カードＴが完成される。
【０１２２】
以上のようにして、労働者Ｗは、自らが所持する複数の資格カードＬＣを用いて、それら複数の資格カードＬＣのそれぞれに対応した複数の資格情報をまとめて記憶した１つの登録カードＴを、簡単に作成することができる。その際、電子化された情報が保持されていないタグなし資格カードＬＣ２であっても、スキャナ１０５を用いた光学読み取りにより資格情報を電子化して、登録カードＴへ記憶させることができる。これにより、就労活動を行う際に、労働者Ｗは、作成された１つの登録カードＴを所持するだけで、自らの取得したすべての資格の内容を簡単に証明することができる。また、登録カードＴを雇用する雇用者は、労働者Ｗの所持する登録カードＴに情報読み取りを行うだけで、当該労働者Ｗの取得しているすべての資格の内容を迅速に把握することができる。
【０１２３】
また、本実施形態では特に、資格カードＬＣ１，ＬＣ２のいずれかを少なくとも含む複数の資格カードＬＣより取得された、労働者Ｗの複数の個人情報のそれぞれが、実質的に同一の情報であるかどうかを判定する（図７のステップＳ１２０を参照）。そして、複数の個人情報のそれぞれが実質的に同一の情報であると判定された場合には、当該個人情報を登録カード用アンテナ１０４Ｗを用いて１つの無線タグ回路部Ｔｏ２に書き込み、登録カードＴの作成を実行する。このように、複数の資格カードＬＣそれぞれから取得した個人情報の照合を行うことにより、他人の資格カードＬＣを用いた不正行為を防止することができる。一方、複数の個人情報のそれぞれが実質的に同一の情報ではないと判定された場合には、所定のエラー表示を行う（図８のステップＳ１２５を参照）。これにより、登録カードＴが作成できないことを労働者Ｗに確実に認識させることができる。
【０１２４】
また、本実施形態では特に、タグあり資格カードＬＣ１の無線タグ回路部Ｔｏ１は、対応する上記サーバ２００の問合せ先情報を記憶している。そして、このタグあり資格カードＬＣ１より個人情報、資格情報、及び問合せ先情報を取得した場合、若しくは、タグなし資格カードＬＣ２より個人情報、資格情報、及び問合せ先情報を取得した場合に、その取得した問合せ先情報に基づき、サーバ２００へアクセスし、問い合わせを行う。そして、サーバ２００より受信した問い合わせ結果に基づき、労働者Ｗが正当な資格保持者であるかどうかを判定する（図８のステップＳ１４０を参照）。このとき、労働者Ｗが正当な資格保持者ではないと判定された場合には、所定のエラー表示を行う（図８のステップＳ１４５を参照）。このように、資格を管理するサーバ２００に問い合わせを行うことにより、偽造した資格カードＬＣを用いた不正行為を防止することができる。
【０１２５】
また、本実施形態では特に、無線タグ回路部Ｔｏ１が資格の有効期限情報を記憶していた場合には、資格カード用アンテナ１０４Ｒを介し当該有効期限情報を取得する。また、タグなし資格カードＬＣ２の記載事項に資格の有効期限情報が含まれていた場合には、スキャナ１０５を介し当該有効期限情報を取得する。そして、上記取得された有効期限情報に基づき、資格の有効期限の残余期間が上記しきい値以下、例えば１０日間以下、となったかどうかを判定する（図８のステップＳ１５０を参照）。このとき、有効期限の残余期間がしきい値以下と判定された場合には、所定のエラー表示を行う（図８のステップＳ１５５を参照）。一方、有効期限の残余期間が上記しきい値より大きいと判定された場合には、上記取得した有効期限情報を含む資格有効期限情報を、登録カード用アンテナ１０４Ｗを介し１つの無線タグ回路部Ｔｏ２に書き込む。これにより、労働者Ｗが有効期限つきの資格を取得している場合に、労働者Ｗが資格の内容と併せて資格の有効期限を証明したり、雇用者が労働者Ｗの資格の内容と併せて資格の有効期限を把握することができる。また、資格の残りの有効期限が短い場合には、登録カードＴの作成を行わない。これにより、実際に活用できる期間が短く、作成意義の薄い無駄な無線タグの作成を回避することができる。また、資格の有効期限が切れている場合にも、登録カードＴの作成を行わない。これにより、期限切れとなり保有していない資格について、労働者Ｗが保有を主張できないようにすることができる。
【０１２６】
なお、本発明は、上記実施形態に限られるものではなく、その趣旨及び技術的思想を逸脱しない範囲内で種々の変形が可能である。以下、そのような変形例を順を追って説明する。
【０１２７】
（１）有効期限情報を上書き更新する場合
すなわち、過去に作成された登録カードＴに記憶された資格情報に対応した資格の有効期限が更新された場合においては、登録カードＴに記憶されたその資格の有効期限情報を書き換える必要がある。本変形例は、このような場合に対応するものである。
【０１２８】
本変形例において、タグあり資格カードＬＣ１の無線タグ回路部Ｔｏ１の上記メモリ部の記憶内容は、上記実施形態と同様である（図４（ａ）を参照）。すなわち、無線タグ回路部Ｔｏ１の上記メモリ部には、タグＩＤ、個人情報、資格情報、取得日時情報、有効期限情報、及び問合せ先情報が記憶されている。
【０１２９】
また、過去において作成された登録カードＴの無線タグ回路部Ｔｏ２の上記メモリ部の記憶内容についても、上記実施形態と同様である（図５（ｂ）を参照）。すなわち、無線タグ回路部Ｔｏ２の上記メモリ部には、過去において登録カード用アンテナ１０４Ｗ（図３参照）を介し、タグＩＤ、個人情報、複数の資格情報、及び資格有効期限情報が書き込まれている。
【０１３０】
また、本変形例では、資格カード用アンテナ１０４Ｒ（図２参照）が、タグあり資格カードＬＣ１の無線タグ回路部Ｔｏ１のみならず、登録カードＴの無線タグ回路部Ｔｏ２とも無線通信により情報の送受信を行う。労働者Ｗが、上記のような情報を記憶した資格カードＬＣ１及び登録カードＴを、上記資格カード用アンテナ１０４Ｒの通信範囲にかざすことにより、登録カードＴの無線タグ回路部Ｔｏ２に記憶された有効期限情報の更新を行うことができるのである（詳細は後述）。
【０１３１】
本変形例において、登録カード作成装置１００の制御回路１０９によって実行される制御内容を、図１０を用いて説明する。なお、この図１０は、前述の図６に対応する図である。図６と同等の手順には同符号を付し説明を省略する。
【０１３２】
図１０において、前述の図６と異なる点は、ステップＳ１２、ステップＳ１４、及びステップＳ３００を新たに設けた点である。
【０１３３】
すなわち、ステップＳ１０は、前述の図６と同様であり、所定の開始操作が行われたかどうかを判定し、開始操作が行われたら、ステップＳ１０の判定が満たされて、新たに設けたステップＳ１２に移る。
【０１３４】
ステップＳ１２では、制御回路１０９は、タッチパネル１０２に表示信号を出力し、例えば「登録カードを新規に作成する場合は『新規』、登録カードを更新する場合は『更新』をタッチしてください」等、登録カードＴの新規作成、又は、登録カードＴの記憶内容の更新、のいずれかを労働者Ｗに選択させる画面を表示させる。
【０１３５】
その後、新たに設けたステップＳ１４で、制御回路１０９は、上記ステップＳ１２で表示された画面上において、労働者Ｗにより『新規』ボタンが手動操作されたかどうかを判定する。労働者Ｗにより『更新』ボタンが手動操作された場合には、判定が満たされず、新たに設けたステップＳ３００に移る。
【０１３６】
ステップＳ３００では、制御回路１０９は、登録カードＴの無線タグ回路部Ｔｏ２に記憶された有効期限情報の上書き更新を行う更新処理（詳細手順は後述の図１１参照）を実行する。そして、ステップＳ２０に移る。
【０１３７】
一方、上記ステップＳ１２で表示された画面上において、労働者Ｗにより『新規』ボタンが手動操作された場合には、ステップＳ１４の判定が満たされて、ステップＳ５０に移る。
【０１３８】
その後の、ステップＳ５０（詳細手順は図７を参照）、ステップＳ１００（詳細手順は図８を参照）、ステップＳ２００（詳細手順は図９を参照）、及びステップＳ２０は、前述の図６と同様であるので、説明を省略する。
【０１３９】
上記図１０のステップＳ３００の詳細手順を、図１１を用いて説明する。
【０１４０】
図１１において、まずステップＳ３０５で、制御回路１０９は、高周波回路１０８Ｒに制御信号を出力し、登録カードＴの無線タグ回路部Ｔｏ２の上記メモリ部に記憶された情報、及び、タグあり資格カードＬＣ１の無線タグ回路部Ｔｏ１の上記メモリ部に記憶された情報、をそれぞれ読み出すためのタグ読み取り信号を生成する。そして、その生成したタグ読み取り信号を、資格カード用アンテナ１０４Ｒを介して、通信範囲内に存在する、無線タグ回路部Ｔｏ２及び無線タグ回路部Ｔｏ１に送信し、返信を促す。このとき、例えばタッチパネル１０２に「登録カードと、有効期限が更新されたＩＣチップ入りの資格証を左側の読み取り部分にかざしてください」等を表示させる。
【０１４１】
その後、ステップＳ３１０で、制御回路１０９は、上記タグ読み取り信号に対応し通信範囲内の、無線タグ回路部Ｔｏ２及び無線タグ回路部Ｔｏ１から返信された応答信号を、資格カード用アンテナ１０４Ｒ及び高周波回路１０８Ｒを介しそれぞれ受信したかどうかを判定する。労働者Ｗが、登録カードＴとタグあり資格カードＬＣ１とを上記通信範囲内にかざしておらず、無線タグ回路部Ｔｏ２及び無線タグ回路部Ｔｏ１からそれぞれ応答信号を受信していない場合には、判定が満たされない。そして、上記ステップＳ３０５に戻り、再びタグ読み取り信号の送信を繰り返す。一方、労働者Ｗが、登録カードＴとタグあり資格カードＬＣ１とを上記通信範囲内にかざし、無線タグ回路部Ｔｏ２及び無線タグ回路部Ｔｏ１からそれぞれ応答信号を受信した場合には、判定が満たされてステップＳ３１５に移る。
【０１４２】
ステップＳ３１５では、制御回路１０９は、上記ステップＳ３１０で無線タグ回路部Ｔｏ２より受信された応答信号より、登録カードＴの無線タグ回路部Ｔｏ２に記憶された複数の資格情報及び資格有効期限情報（図５（ｂ）を参照）を抽出して取得する。
【０１４３】
そして、ステップＳ３１７に移り、制御回路１０９は、上記ステップＳ３１０で無線タグ回路部Ｔｏ１より受信された応答信号より、タグあり資格カードＬＣ１の無線タグ回路部Ｔｏ１に記憶された資格情報及び有効期限情報（図４（ａ）を参照）を抽出して取得する。なお、このステップＳ３１７は上記のステップＳ３１５と併せて一括して行うようにしてもよい。
【０１４４】
そして、ステップＳ３２０に移り、制御回路１０９は、上記ステップＳ３１５で取得された複数の資格情報及び資格有効期限情報の中に、上記ステップＳ３１７で取得された資格情報及び有効期限情報と同一の資格に係わる、資格情報及び有効期限情報が含まれていたかどうかを判定する。
【０１４５】
例えば、上記ステップＳ３１５で、資格情報として「△△△資格」「○○○免許」を取得し、資格有効期限情報として上記「△△△資格」に係わる「平成２８年１月８日」、上記「○○○免許」に係わる「平成２５年２月２日」を取得し、かつ、上記ステップＳ３１７で、資格情報として「×××資格」を取得し、有効期限情報として、上記「×××資格」に係わる「平成２１年１０月３日」を取得した場合がある。この場合、上記ステップＳ３１５で取得された「△△△資格」「○○○免許」の中に、上記ステップＳ３１７で取得された「×××資格」は含まれておらず、これらに係わる有効期限情報「平成２８年１月８日」「平成２５年２月２日」は、上記ステップＳ３１７で取得された「×××資格」に係わる有効期限情報ではない。このように、上記ステップＳ３１５で取得された複数の資格情報及び資格有効期限情報の中に、上記ステップＳ３１７で取得された資格情報及び有効期限情報と同一の資格に係わる、資格情報及び有効期限情報が含まれていなかった場合には、ステップＳ３２０の判定が満たされず、後述のステップＳ３３０に移る。
【０１４６】
一方、例えば、上記ステップＳ３１５で、資格情報として「△△△資格」「○○○免許」を取得し、資格有効期限情報として上記「△△△資格」に係わる「平成２８年１月８日」、上記「○○○免許」に係わる「平成２５年２月２日」を取得し、かつ、上記ステップＳ３１７で、資格情報として「△△△資格」を取得し、有効期限情報として、上記「△△△資格」に係わる「平成３０年１月８日」を取得した場合がある。この場合、上記ステップＳ３１５で取得された「△△△資格」「○○○免許」の中に、上記ステップＳ３１７で取得された「△△△資格」が含まれており、この「△△△資格」に係わる有効期限情報「平成３０年１月８日」が含まれている。このように、上記ステップＳ３１５で取得された複数の資格情報及び資格有効期限情報の中に、上記ステップＳ３１７で取得された資格情報及び有効期限情報と同一の資格に係わる、資格情報及び有効期限情報が含まれていた場合には、ステップＳ３２０の判定が満たされて、ステップＳ３２５に移る。
【０１４７】
ステップＳ３２５では、制御回路１０９は、上記ステップＳ３１７で取得された有効期限情報と、上記ステップＳ３１５で取得された資格有効期限情報のうち、上記有効期限情報と同一の資格に係わる有効期限情報とを比較する。そして、制御回路１０９は、上記ステップＳ３１７で取得された有効期限情報の表す有効期限が、上記ステップＳ３１５で取得された上記同一の資格に係わる有効期限情報の表す有効期限よりも、遅れて到来する期日であるかどうか、言い換えれば、登録カードＴの無線タグ回路部Ｔｏ１に記憶された有効期限情報が、当該資格を交付・管理等する前述の機構、協会、委員会等により更新されているかどうか、を判定する。
【０１４８】
例えば、上記ステップＳ３１７で無線タグ回路部Ｔｏ１より取得された、「○×□資格」に係わる有効期限が「平成２１年８月３１日」であり、上記ステップＳ３１５で無線タグ回路部Ｔｏ２より取得された、「○×□資格」に係わる有効期限が「平成２１年８月３１日」である場合がある。この場合は、上記ステップＳ３１７及びステップＳ３１５で取得された、同一の資格「○×□資格」に係わる有効期限情報の表す有効期限は、同日の「平成２１年８月３１日」であり、無線タグ回路部Ｔｏ１に記憶された有効期限情報は更新されていない。このように、無線タグ回路部Ｔｏ１に記憶された有効期限情報が更新されていない場合には、ステップＳ３２５の判定が満たされず、ステップＳ３３０に移る。
【０１４９】
ステップＳ３３０では、制御回路１０９は、タッチパネル１０２に表示信号を出力し、所定のエラー表示、例えば「登録カードを更新できません」を行う。そして、このルーチンを終了する。
【０１５０】
一方、例えば、上記ステップＳ３１７で無線タグ回路部Ｔｏ１より取得された、「○×□資格」に係わる有効期限が「平成２３年８月３１日」であり、上記ステップＳ３１５で無線タグ回路部Ｔｏ２より取得された、「○×□資格」に係わる有効期限が「平成２１年８月３１日」である場合がある。この場合は、上記ステップＳ３１７で取得された「平成２３年８月３１日」は、上記ステップＳ３１５で取得された「平成２１年８月３１日」よりも、２年遅れて到来する期日であり、無線タグ回路部Ｔｏ１に記憶された有効期限情報が更新されている。このように、無線タグ回路部Ｔｏ１に記憶された有効期限情報が更新されている場合には、ステップＳ３２５の判定が満たされて、ステップＳ３４０に移る。
【０１５１】
ステップＳ３４０では、制御回路１０９は、高周波回路１０８Ｒに制御信号を出力し、登録カードＴの無線タグ回路部Ｔｏ２の上記メモリ部に、上記ステップＳ３１７で取得された有効期限情報を書き込むためのタグ書き込み信号を生成する。そして、制御回路１０９は、その生成したタグ書き込み信号を、資格カード用アンテナ１０４Ｒを介して、無線タグ回路部Ｔｏ２に送信し、上記同一の資格に係わる有効期限情報を上書き更新する。
【０１５２】
その後、ステップＳ３４５で、制御回路１０９は、無線タグ回路部Ｔｏ２の上記メモリ部への情報の書き込みが正常に完了したかどうかを公知の手法により判定する。書き込みが正常に完了していない場合には、判定が満たされず上記ステップＳ３４０に戻り、同様の手順を繰り返す。一方、書き込みが正常に完了した場合には、判定が満たされて、このルーチンを終了する。
【０１５３】
なお、上記において、前述の図７に示すステップＳ７０、上記図１１に示すステップＳ３１５、及びステップＳ３１７が、第１情報取得手段として機能する。また、前述の図８に示すステップＳ１５０及び上記図１１に示すステップＳ３２５が、効力判定手段として機能する。また、前述の図９に示すステップＳ２１０及び上記図１１に示すステップＳ３４０が、情報記録手段として機能する。
【０１５４】
以上説明した本変形例においては、複数の資格情報を書き込んだ登録カードＴを作成後、それら複数の資格情報に対応する複数の資格の一つの有効期限が更新された場合に、当該資格の有効期限情報を最新の内容に更新することができる。
【０１５５】
（２）写真画像付きの登録カードを作成する場合
すなわち、タグあり資格カードＬＣ１の無線タグ回路部Ｔｏ１に、例えば労働者Ｗの顔写真画像等をデータ化した写真画像データが記憶されていた場合、又は、タグなし資格カードＬＣ２に労働者Ｗの写真画像が印刷されていた場合には、労働者Ｗの写真画像付きの登録カードＴを作成するようにしてもよい。
【０１５６】
本変形例においては、タグあり資格カードＬＣ１の無線タグ回路部Ｔｏ１の上記メモリ部には、前述の図４（ａ）に示す情報に加え、例えば労働者Ｗの顔写真画像等をデータ化した写真画像データが記憶されている。この場合には、資格カード用アンテナ１０４Ｒを介し上記無線タグ回路部Ｔｏ１と無線通信が行われることで、前述の図４（ａ）に示す情報に加え上記写真画像データが取得される。また、タグなし資格カードＬＣ２の上面には、前述の図４（ｂ）に示す記載事項に加え、例えば労働者Ｗの顔写真画像等の写真画像（図示せず）が印刷されている。この場合には、スキャナ１０５を介し上記タグなし資格カードＬＣ２の記載事項が光学読み取りされ、前述の図４（ｂ）に示す記載事項に加え上記写真画像が読み取られる。
【０１５７】
ここで、本変形例の登録カード作成装置１００の制御回路１０９によって実行される制御内容において、前述の図６と異なる点は、ステップＳ５０及びステップＳ２００であり、その他の手順は図６の各手順と同様である。以下、図１２を用いて、本変形例におけるステップＳ５０相当のステップＳ５０′の詳細手順を説明する。なお、この図１２は、前述の図７に対応する図である。図７と同等の手順には同符号を付し説明を省略する。
【０１５８】
図１２において、前述の図７と異なる点は、ステップＳ７０に代えてステップＳ７０′を設け、ステップＳ８５の後にステップＳ９０を新たに設けた点である。
【０１５９】
すなわち、ステップＳ５５、ステップＳ６０、及びステップＳ６５は、前述の図７と同様である。ステップＳ６５で、前述のタグ読み取り信号に対応し無線タグ回路部Ｔｏ１から返信された応答信号を受信したら、ステップＳ７０に代えて設けたステップＳ７０′に移る。
【０１６０】
ステップＳ７０′では、制御回路１０９は、上記ステップＳ６５で受信された応答信号より、無線タグ回路部Ｔｏ１に記憶された、タグＩＤ、個人情報、資格情報、取得日時情報、有効期限情報、問合せ先情報、及び上記写真画像データを抽出して取得する。なお、このステップが、第１情報取得手段として機能する。
【０１６１】
その後のステップＳ７５、ステップＳ８０、及びステップＳ８５は、前述の図７と同様である。ステップＳ８５で、個人情報、資格情報、取得日時情報、有効期限情報、及び問合せ先情報を取得したら、新たに設けたステップＳ９０に移る。
【０１６２】
ステップＳ９０では、制御回路１０９は、前述のステップＳ８０で生成されたイメージデータに含まれる画像情報を、公知の手法により画像認識する。その際、さらに公知の顔認識技術を適用することにより、制御回路１０９は、タグなし資格カードＬＣ２の記載事項に含まれる、上記写真画像に対応する労働者Ｗの写真画像データを取得する。なお、ステップＳ８５とステップＳ９０とを併せて一括して行うようにしてもよい。そして、このルーチンを終了する。
【０１６３】
なお、上記図１２において、ステップＳ８５及びステップＳ９０が、第２情報取得手段として機能する。
【０１６４】
ここで、本変形例のステップＳ２００の詳細手順は、前述の図９とほぼ同様のもので足りる。但し、ステップＳ２０５では、制御回路１０９は、印字ヘッド１１２に制御信号を出力し、上記図１２のステップＳ７０′及びステップＳ８５の少なくとも一方で取得された個人情報、例えば氏名を、カード基材テープ１０７の上記印刷領域に対して印刷させる。また、これとともに、制御回路１０９は、上記図１２のステップＳ７０′及びステップＳ９０の少なくとも一方で取得された上記写真画像データに対応した写真画像を、上記印刷領域に対して印刷させる。これにより、後に画像付きの登録カードＴが形成されることになる。
【０１６５】
以上のように、本変形例においては、タグあり資格カードＬＣ１の無線タグ回路部Ｔｏ１が写真画像データを記憶していた場合には、資格カード用アンテナ１０４Ｒを介し無線タグ回路部Ｔｏ１より写真画像データを取得する。また、タグなし資格カードＬＣ２の記載事項に写真画像が含まれていた場合には、スキャナ１０５が生成したイメージデータに含まれる画像を認識し、写真画像データを取得する。そして、上記取得された写真画像データに対応した写真画像を、印字ヘッド１１２によりカード基材テープ１０７に対し印刷し、画像付きの登録カードＴを作成する。
【０１６６】
本変形例によれば、画像付きの登録カードＴとすることにより、他人の登録カードＴを用いて不正に就労活動を行うのを防止することができる。
【０１６７】
（３）更新日の新しい写真画像を用いて、写真画像付きの登録カードを作成する場合
すなわち、複数の写真画像データが取得された場合には、更新日の新しい写真画像データに対応した写真画像付きの登録カードＴを作成するようにしてもよい。
【０１６８】
本変形例においては、資格カード用アンテナ１０４Ｒ又はスキャナ１０５を介し取得された複数の写真画像データのうち、対応する取得日時情報が表す取得日時が最新の写真画像データを、最新に撮影された労働者Ｗの写真画像に対応した写真画像データとみなす。そして、この写真画像データを用いて、上記画像付きの登録カードＴを作成する。
【０１６９】
ここで、本変形例の登録カード作成装置１００の制御回路１０９によって実行される制御内容において、上記（２）の変形例と異なる点は、前述の図９のステップＳ２０５である。その他の手順は、上記（２）の変形例とほぼ同様である。すなわち、ステップＳ２０５では、制御回路１０９は、印字ヘッド１１２に制御信号を出力し、上記図１２のステップＳ７０′及びステップＳ８５で取得された個人情報、例えば氏名を、カード基材テープ１０７の上記印刷領域に対して印刷させる。また、これとともに、制御回路１０９は、上記図１２のステップＳ７０′又はステップＳ９０で取得された複数の写真画像データのうち、上記図１２のステップＳ７０′及びステップＳ８５で取得された、対応する取得日時情報が表す取得日時が最新の写真画像データ、に対応した写真画像を、上記印刷領域に対して印刷させる。これにより、後に、最新の写真画像データに対応した画像付きの登録カードＴが形成される。
【０１７０】
本変形例によれば、複数の写真画像データが取得された場合に、最新の写真画像データに対応した写真画像を、印字ヘッド１１２によりカード基材テープ１０７に対し印刷し、画像付きの登録カードＴを作成する。これにより、複数の画像情報のうち最近に撮影された労働者Ｗの写真を用いて、画像付きの登録カードＴを作成することができる。この結果、ユーザの最も新しい姿を登録カードＴに対し反映させることができる。
【０１７１】
（４）労働者を写真撮影する場合
上記（２）及び（３）の変形例においては、タグあり資格カードＬＣ１の無線タグ回路部Ｔｏ１が写真画像データを記憶しており、タグなし資格カードＬＣ２に写真画像が印刷されている場合を示した。しかしながら、これに限られず、写真画像データが記憶されていない場合や写真画像が印刷されていない場合も存在する。この場合には、画像付きの登録カードＴを作成するために、その場で労働者Ｗを撮影し、画像付きの登録カードＴを作成するようにしてもよい。
【０１７２】
前述したように、登録カード作成装置１００は、労働者Ｗの写真撮影を行うためのカメラ１０３（図２参照）を有している。そして、タグあり資格カードＬＣ１の無線タグ回路部Ｔｏ１が写真画像データを記憶していない場合、又は、タグなし資格カードＬＣ２に写真画像が印刷されていない場合には、上記カメラ１０３により労働者Ｗの写真撮影が行われる。そして、カメラ１０３により撮影された写真画像が、印字ヘッド１１２によりカード基材テープ１０７に対し印刷され、画像付きの登録カードＴが作成される。
【０１７３】
本変形例によれば、画像情報が予め用意されていない場合であっても、その場で撮影した労働者Ｗの写真を添付することで、すべて画像付きの登録カードＴとすることができる。この結果、他人の登録カードＴを用いて不正に就労活動を行うのを確実に防止することができる。
【０１７４】
（５）その他
以上においては、無線タグが、カード基材テープ１０７をカッタ１１４で所定の長さに切断しカード形状とした、登録カードＴである場合を示したが、これに限られない。すなわち、無線タグを、例えば基材層、粘着剤層、剥離紙等の複数層構造の基材テープをカッタ１１４で所定の長さに切断しラベル形状としてもよい。この場合、基材テープがタグ媒体に相当する。このように無線タグをラベル形状とすることにより、労働者Ｗが外出時に所持する物品、例えば財布やかばん等、に無線タグを貼付することができ、無線タグの携帯忘れを防止することができる。
【０１７５】
また、以上において、印刷及び無線タグ回路部Ｔｏ２へのアクセスの終了したカード基材テープ１０７をカッタ１１４で切断して登録カードＴを作成した場合を例にとって説明したが、これに限られない。すなわち、登録カードＴに対応した所定の大きさに予め分離されたカード台紙、いわゆるダイカットタイプ、がロールから繰り出されるテープ上に連続配置されているような場合には、カッタ１１４で切断しなくても、テープがカード排出口１０１から排出されてきた後に、カード台紙、すなわちアクセス済みの無線タグ回路部Ｔｏ２が備えられ、かつ、対応する印刷がなされたもの、のみをテープから剥がして登録カードＴを作成しても良く、本発明はこのようなものに対しても適用できる。
【０１７６】
なお、以上において、図３等の各図中に示す矢印は信号の流れの一例を示すものであり、信号の流れ方向を限定するものではない。
【０１７７】
また、図６、図７、図８、図９等に示すフローチャートは本発明を上記フローに示す手順に限定するものではなく、発明の趣旨及び技術的思想を逸脱しない範囲内で手順の追加・削除又は順番の変更等をしてもよい。
【０１７８】
また、以上既に述べた以外にも、上記実施形態や各変形例による手法を適宜組み合わせて利用しても良い。
【０１７９】
その他、一々例示はしないが、本発明は、その趣旨を逸脱しない範囲内において、種々の変更が加えられて実施されるものである。
【符号の説明】
【０１８０】
１                登録カード作成システム
１００            登録カード作成装置（無線タグ作成装置）
１０２            タッチパネル
１０３            カメラ（撮像手段）
１０４Ｒ          資格カード用アンテナ（第１アンテナ）
１０４Ｗ          登録カード用アンテナ（第２アンテナ）
１０５            スキャナ（光学読み取り手段）
１０７            カード基材テープ（タグ媒体）
１０９            制御回路
１１０            タイマ（計時手段）
１１２            印字ヘッド（画像印刷手段）
１５０            ＩＣ回路部
１５１            タグアンテナ
２００            サーバ（管理サーバ）
ＬＣ１            タグあり資格カード（第１資格カード）
ＬＣ２            タグなし資格カード（第２資格カード）
Ｔ                登録カード（無線タグ）
Ｔｏ１            無線タグ回路部（第１無線タグ回路部）
Ｔｏ２            無線タグ回路部（第２無線タグ回路部）
Ｗ                労働者（ユーザ）
【図１】
2011060171.tif 000003
【図２】
2011060171.tif 000004
【図３】
2011060171.tif 000005
【図４】
2011060171.tif 000006
【図５】
2011060171.tif 000007
【図６】
2011060171.tif 000008
【図７】
2011060171.tif 000009
【図８】
2011060171.tif 000010
【図９】
2011060171.tif 000011
【図１０】
2011060171.tif 000012
【図１１】
2011060171.tif 000013
【図１２】
2011060171.tif 000014